(57)【要約】【課題】観客収容能力を落とさずに建物規模を小さくする【解決手段】建物１０は、競技場１２に向かって傾斜した下部席３０と、下部席３０の外側に設けられた通路４０と、通路４０の上部梁４４の上方に設けられ、下部席３０の上方に跳ね出した跳ね出し部２０Ｂを有する上部席２０と、を備え、通路４０の上部梁４４の下面４４Ｅよりも跳ね出し部２０Ｂの下面２０ＢＥが低い位置に配置されている。【選択図】図１
2018138744.tif 000002
【特許請求の範囲】
【請求項１】
競技場に向かって傾斜した下部席と、
前記下部席の外側に設けられた通路と、
前記通路の上部梁の上方に設けられ、前記下部席の上方に跳ね出した跳ね出し部を有する上部席と、を備え、
前記通路の上部梁の下面よりも前記跳ね出し部の下面が低い位置に配置されている建物。
【請求項２】
前記下部席と前記上部席との間を移動するための移動手段が、前記通路の外側に配置されている、請求項１に記載の建物。
【請求項３】
前記移動手段は屋外階段である、請求項２に記載の建物。
【発明の詳細な説明】
【技術分野】
【０００１】
本発明は、建物に関する。
【背景技術】
【０００２】
下記特許文献１には、観客スタンドを上下の二段で構成し、上側の観客スタンドを下側の観客スタンドの外側に配置したスタジアムが開示されている。
【先行技術文献】
【特許文献】
【０００３】
【特許文献１】特開２０００−３１４１７５号公報
【発明の概要】
【発明が解決しようとする課題】
【０００４】
上記特許文献１のスタジアムのように、上側及び下側の観客スタンドが平面的に重ならないように配置すると、グラウンド部（競技場）の周囲に設ける観客スタンドのスペースが大きくなり、建物規模が大きくなる。
【０００５】
本発明は上記事実を考慮して、観客収容能力を落とさずに建物規模を小さくすることを目的とする。
【課題を解決するための手段】
【０００６】
請求項１の建物は、競技場に向かって傾斜した下部席と、前記下部席の外側に設けられた通路と、前記通路の上部梁の上方に設けられ、前記下部席の上方に跳ね出した跳ね出し部を有する上部席と、を備え、前記通路の上部梁の下面よりも前記跳ね出し部の下面が低い位置に配置されている。
【０００７】
請求項１の建物では、上部席の跳ね出し部が下部席の上方に跳ね出しているため、上部席と下部席とが平面視で重なり合う。これにより上部席と下部席とが平面視で重なり合わない場合と比較して、建物の建築面積を小さくすることができる。
【０００８】
また、上部席の跳ね出し部の下面が通路の上部梁の下面よりも低い位置に配置されているため、上部席の跳ね出し部の下面が通路の上部梁の下面と同じ高さ以上の高さに配置される場合と比較して、上部席を低い位置に配置できる。このため、建物の建築高さを低くできる。
【０００９】
これにより、観客収容能力を落とさずに建物規模を小さくできる。なお、「下部席の外側」とは下部席の外部であって競技場と反対側の部分を示す。
【００１０】
請求項２の建物は、前記下部席と前記上部席との間を移動するための移動手段が、前記通路の外側に配置されている。
【００１１】
請求項２の建物では、下部席から上部席へ移動するための上下方向の移動手段が、通路の外側に配置されている。このため通路から競技場への視線が遮られにくい。これにより通路に観客席や実況席などを設けることができる。
【００１２】
請求項３の建物は、前記移動手段は屋外階段である。
【００１３】
請求項３に記載の建物では、下部席から上部席へ移動するための上下方向の移動手段が屋外階段とされている。に設けられている。これにより階段が屋内に設けられている場合と比較して屋内空間を小さくできる。したがって、建物の規模を小さくすることができる。
【発明の効果】
【００１４】
本発明に係る建物によると、観客収容能力を落とさずに建物規模を小さくすることができる。
【図面の簡単な説明】
【００１５】
【図１】本発明の実施形態に係る建物における観客席を示す立断面図である。
【図２】本発明の実施形態に係る建物における上部席の跳ね出し部の下面の高さを示す立断面図である。
【図３】本発明の実施形態に係る建物における上部席の位置と、第１比較例における上部席の位置と、第２比較例における上部席の位置と、を比較した立断面図である。
【図４】本発明の実施形態に係る建物において上下方向の移動手段を屋内階段とした変形例を示す立断面図である。
【発明を実施するための形態】
【００１６】
（建物）
本発明の実施形態に係る建物１０は、図１に示すように、競技場１２と競技場１２の周囲を取り囲むように配置された観客席１４とを備えるスタジアムである。「競技場」とは主にスポーツなどを行うための場所であるが、ここで行われるスポーツの種類は特に限定されず、また、コンサートや各種催事等、スポーツ以外を行うこともできる。
【００１７】
観客席１４は上部席２０及び下部席３０の上下二段に分かれて形成されている。上部席２０及び下部席３０は何れも、競技場１２へ向かって下向きに傾斜する（競技場１２側の部分が反対側の部分よりも高さが低く形成された）すり鉢状の構造物である。また、下部席３０の外側には通路４０が設けられており、上部席２０は通路４０の上方に設けられている。
【００１８】
（下部席）
下部席３０は、斜め梁３２に支持された段床３４に座席（不図示）が据え付けられて構成されている。斜め梁３２は競技場１２へ向かって下向きに傾斜して構成されており、一方の端部（競技場１２側の端部であり下端部）が基礎梁１６に接合され、他方の端部（競技場１２と反対側の端部であり上端部）が柱１８Ｂに接合されている。また、斜め梁３２の中央部は柱１８Ｂよりも競技場１２側に配置された柱１８Ａに接合されている。段床３４は、図１における紙面前後方向（手前方向と奥方向）に隣り合う斜め梁３２の間に架け渡された階段状の床スラブであり、それぞれの段上に座席が据え付けられている。
【００１９】
（通路）
通路４０は、柱１８Ｂと、柱１８よりも外側（競技場１２と反対側）の柱１８Ｃとの間に架け渡された下部梁４２に支持された床板４０ＦＬの上に形成された空間である。床板４０ＦＬの表面（歩行面）は下部席３０の上端面と等しい高さ位置に形成されており、建物１０の利用者は、通路４０と下部席３０との間を、階段などを介さずに移動することができる。
【００２０】
通路４０の上方には、柱１８Ｂと１８Ｃとの間に架け渡された上部梁４４が配置されている。上部梁４４には下部梁４２と同様に床板が架設され、上方に通路４６が形成されている。
【００２１】
なお、通路４０、４６はスタジアムである建物１０の利用者等が通行できるコンコースであるが、必ずしも通行のみのために供される空間である必要はない。例えば売店、休憩所、観客席、放送席など、任意の用途のために用いることができる。
【００２２】
（上部席）
上部席２０は、下部席３０と同様に、斜め梁２２に支持された段床２４に座席（不図示）が据え付けられて構成されている。上部席２０における斜め梁２２は通路４０の上部梁４４の上方に設けられており、競技場１２へ向かって下向きに傾斜して構成されている。また、斜め梁２２は柱１８Ｂ、１８Ｃそれぞれの上端部に接合され、柱１８Ｂよりも競技場１２側（すなわち、下部席３０の上方）へ跳ね出した跳ね出し部２２Ｂと、柱１８Ｃよりも外側へ跳ね出した跳ね出し部２２Ｃと、を備えている。段床２４は、図１における紙面前後方向（手前方向と奥方向）に隣り合う斜め梁２２の間に架け渡された階段状の床スラブであり、それぞれの段上に座席が据え付けられている。
【００２３】
同様に、上部席２０における段床２４も柱１８Ｂよりも競技場１２側へ跳ね出した跳ね出し部２４Ｂと、柱１８Ｃよりも外側へ跳ね出した跳ね出し部２４Ｃが形成されている。なお、以下の説明においては跳ね出し部２２Ｂ、２４Ｂを総称して跳ね出し部２０Ｂと称し、跳ね出し部２２Ｃ、２４Ｃを総称して跳ね出し部２０Ｃと称すことがある。
【００２４】
上部席２０における跳ね出し部２０Ｂの下面２０ＢＥ、すなわち斜め梁２２における跳ね出し部２２Ｂの先端に形成された水平部の下面２２ＢＥは、通路４０の上部梁４４の下面４４Ｅより低い位置に形成されている。
【００２５】
換言すると、床板４０ＦＬの表面から跳ね出し部２０Ｂの下面２２ＢＥ（跳ね出し部２０Ｂの下面２０ＢＥ）までの高さＨ１は、床板４０ＦＬの表面から上部梁４４の下面４４Ｅまでの高さＨ２よりも低い。
【００２６】
なお高さＨ１は、図２に示すように、通路４０において建物１０の利用者が起立姿勢で競技場１２を目視した際に、競技場１２の端部（利用者がいる観客席１４と対向する観客席１４における下部席３０の下端部）を視認できる高さに設定されている。
【００２７】
（屋外階段）
通路４０の外側に配置された柱１８Ｃの間には、外壁１９が構築されている。そして外壁１９の外側、すなわち通路４０の外側には、屋外階段５０が設けられている。屋外階段５０は、建物１０の利用者が、外部敷地Ｓ、通路４０及び通路４６の間を移動するための上下方向の移動手段である。また、利用者は通路４６と上部席２０との間は、階段５２を通って移動することができる。これにより利用者は、下部席３０から通路４０、屋外階段５０、通路４６及び階段５２を通って、上部席２０へ移動できる。
【００２８】
（作用・効果）
図３には、本実施形態に係る建物１０における上部席２０を実線で示し、第１、第２比較例に係る上部席２００、２２０を破線で示している。上部席２０、２００、２２０における客席数すなわち観客収容能力は等しく、上部席２０、２００、２２０における競技場１２側の端部と外側の端部との水平距離Ｌは、全て等しく形成されている。
【００２９】
第１比較例に係る上部席２００は、下部席３０の上方に跳ね出していない。この上部席２００と、競技場１２を挟んで対向する観客席１４における上部席２００との外側端部間距離をＳ２とする。
【００３０】
これに対して本実施形態に係る上部席２０は、下部席３０の上方に跳ね出した跳ね出し部２０Ｂを備えており、上部席２０と下部席３０とが平面視で重なり合っている。つまり、上部席２０は、第１比較例の上部席２００と比較して競技場１２寄りに配置される。このため、上部席２０の外側端部間距離Ｓ１はＳ２よりも小さい。
【００３１】
したがって、本実施形態に係る建物１０では、上部席２００と下部席３０とが平面視で重なり合わない第１比較例と比べて、建築面積（下部席３０及び上部席２０で形成される観客席１４の水平投影面積）を小さくすることができる。
【００３２】
第２比較例に係る上部席２２０は、下部席３０の上方に跳ね出した跳ね出し部２２０Ｂを備えている。そして、通路４０における床板４０ＦＬの表面から跳ね出し部２２０Ｂの下面２２０ＢＥまでの高さＨ３は、床板４０ＦＬの表面から上部梁４４の下面４４Ｅまでの高さＨ２と等しく形成されている。この上部席２２０の外側端部の高さ（地盤面ＧＬからの高さ）をＴ３とする。
【００３３】
これに対して本実施形態に係る上部席２０における跳ね出し部２０Ｂの下面２０ＢＥの高さ（通路４０における床板４０ＦＬの表面からの高さ）Ｈ１は、床板４０ＦＬの表面から上部梁４４の下面４４Ｅまでの高さＨ２よりも低い。つまり、上部席２０は、第２比較例の上部席２２０と比較して低い位置に配置される。このため、上部席２０の外側端部の高さ（地盤面ＧＬからの高さ）Ｔ１はＴ３よりも小さい。
【００３４】
したがって、本実施形態に係る建物１０では、上部席２２０が高い位置に配置された第２比較例と比べて、建築高さを低くすることができる。
【００３５】
また、本実施形態に係る建物１０では、下部席３０と上部席２０との間を移動するための移動手段が、通路４０及び外壁１９の外側に配置された屋外階段５０とされている。このため通路４０から競技場１２への視線が遮られにくい。これにより通路４０に観客席や実況席などを設けることができる。
【００３６】
また、下部席３０と上部席２０との間を移動するための移動手段が屋内（外壁１９から見て競技場１２寄りの部分）に設けられている場合と比較して屋内に階段を設置するためのスペースを削減できるため、屋内空間を小さくできる。これにより建物の規模を小さくすることができる。
【００３７】
なお、本実施形態においては下部席３０と上部席２０との間を移動するための移動手段が外壁１９の外側に配置された屋外階段５０とされているが、本発明の実施形態はこれに限らない。例えば図４に示した屋内階段５４のように、外壁１９の内側に配置してもよい。このようにすれば、建物１０の利用者は下部席３０と上部席２０との間を移動する際に風雨に晒されにくい。また、屋内階段５４は通路４０の外側に配置されているので、通路４０から競技場１２への視線が遮られにくい。
【００３８】
また、本実施形態においては通路４０の外側端部の柱１８Ｃの間に外壁１９が形成されているが、本発明の実施形態はこれに限らず、外壁１９を形成せず、パラペットや腰壁を形成してもよい。又は、外壁１９が形成された部分と形成されていない部分とを混在させてもよい。このようにすれば、建物１０の構造を軽微にできる。
【００３９】
また、本実施形態において上部席２０及び下部席３０を備えた観客席１４は、競技場１２の周囲を取り囲むように配置されているが、本発明の実施形態はこれに限らない。例えば観客席１４は、競技場１２の片側に沿って配置してもよいし、競技場１２を両側から挟みこむように配置してもよい。同様に、建物１０はスタジアムに限定されるものではなく、屋外運動場、競馬場、野外劇場、体育館、ドーム等、観客席を備えた建物全般とすることができる。このように、本発明は様々な態様で実施できる。
【符号の説明】
【００４０】
１２      競技場
２０      上部席
２０Ｂ    跳ね出し部
２０ＢＥ  下面（跳ね出し部の下面）
３０      下部席
４０      通路
４４      上部梁
４４Ｅ    下面（上部梁の下面）
５０      屋外階段（移動手段）
５４      屋内階段（移動手段）
【図１】
2018138744.tif 000003
【図２】
2018138744.tif 000004
【図３】
2018138744.tif 000005
【図４】
2018138744.tif 000006